【手続補正書】
【提出日】平成20年3月25日(2008.3.25)
【手続補正１】
【補正対象書類名】明細書
【補正対象項目名】発明の名称
【補正方法】変更
【補正の内容】
【発明の名称】データ処理装置およびデータ処理装置の制御方法
【手続補正２】
【補正対象書類名】明細書
【補正対象項目名】特許請求の範囲
【補正方法】変更
【補正の内容】
【特許請求の範囲】
【請求項１】  他のデータ処理装置が読み取った画像を印刷するデータ処理装置であって、
前記他のデータ処理装置が課金機能を有するか否かを判別する判別手段と、
前記判別手段により、前記他のデータ処理装置が課金機能を有さないと判別した場合に、前記データ処理装置による印刷処理と前記他のデータ処理装置による画像読み取り処理に対する課金処理を、前記データ処理装置が行うことを決定する決定手段と、
前記決定手段による決定に基づいて、前記課金処理を実行するように制御する制御手段と、
を有することを特徴とするデータ処理装置。
【請求項２】  他のデータ処理装置が印刷するための画像を読み取るデータ処理装置であって、
前記他のデータ処理装置が課金機能を有するか否かを判別する判別手段と、
前記判別手段により、前記他のデータ処理装置が課金機能を有さないと判別した場合に、前記データ処理装置による画像読み取り処理と前記他のデータ処理装置による印刷処理に対する課金処理を、前記データ処理装置が行うことを決定する決定手段と、
前記決定手段による決定に基づいて、前記課金処理を実行するように制御する制御手段と、
を有することを特徴とするデータ処理装置。
【請求項３】  前記判別手段は、前記他のデータ処理装置から受信した情報に基づいて、上記判別を行うことを特徴とする請求項１又は２記載のデータ処理装置。
【請求項４】  他のデータ処理装置が読み取った画像を印刷するデータ処理装置であって、
前記データ処理による印刷処理と前記他のデータ処理装置による画像読み取り処理に対する課金処理を前記他のデータ処理装置が行わないようにするために、前記他のデータ処理装置に対して、前記データ処理装置が課金機能を有することを通知する通知手段と、
前記通知手段により通知した後に、前記データ処理装置による印刷処理と、前記他のデータ処理装置による画像読み取り処理に対する課金処理を実行するよう制御する制御手段と、
を有することを特徴とするデータ処理装置。
【請求項５】  他のデータ処理装置が印刷するための画像を読み取るデータ処理装置であって、
前記データ処理装置による画像読み取り処理と前記他のデータ処理装置による印刷処理に対する課金処理を前記他のデータ処理装置が行わないようにするために、前記他のデータ処理装置に対して、前記データ処理装置が課金機能を有することを通知する通知手段と、
前記通知手段により通知した後に、前記データ処理装置による画像読み取り処理と前記他のデータ処理装置による印刷処理に対する課金処理を実行するよう制御する制御手段と、
を有することを特徴とするデータ処理装置。
【請求項６】  前記課金処理は、前記他のデータ処理装置が画像を読み取った回数、白黒読み取り、カラー読み取り、前記データ処理装置が印刷する枚数、白黒印刷、カラー印刷、のうち少なくとも１つの情報に基づいて行われることを特徴とする請求項１又は４記載のデータ処理装置。
【請求項７】  前記課金処理は、前記データ処理装置が画像を読み取った回数、白黒読み取り、カラー読み取り、前記他のデータ処理装置が印刷する枚数，白黒印刷、カラー印刷、のうち、少なくとも１つの情報に基づいて行われることを特徴とする請求項２又は５記載のデータ処理装置。
【請求項８】  他のデータ処理装置が読み取った画像を印刷するデータ処理装置の制御方法であって、
前記他のデータ処理装置が課金機能を有するか否かを判別する判別工程と、
前記判別工程において、前記他のデータ処理装置が課金機能を有さないと判別した場合に、前記データ処理装置による印刷処理と前記他のデータ処理装置による画像読み取り処理に対する課金処理を、前記データ処理装置が行うことを決定する決定工程と、
前記決定工程における決定に基づいて、前記課金処理を実行するように制御する制御工程と、
を有することを特徴とする制御方法。
【請求項９】  他のデータ処理装置が印刷するための画像を読み取るデータ処理装置の制御方法であって、
前記他のデータ処理装置が課金機能を有するか否かを判別する判別工程と、
前記判別工程において、前記他のデータ処理装置が課金機能を有さないと判別した場合に、前記データ処理装置による画像読み取り処理と前記他のデータ処理装置による印刷処理に対する課金処理を、前記データ処理装置が行うことを決定する決定工程と、
前記決定工程における決定に基づいて、前記課金処理を実行するように制御する制御工程と、
を有することを特徴とする制御方法。
【請求項１０】  他のデータ処理装置が読み取った画像を印刷するデータ処理装置の制御豊富であって、
前記データ処理による印刷処理と前記他のデータ処理装置による画像読み取り処理に対する課金処理を前記他のデータ処理装置が行わないようにするために、前記他のデータ処理装置に対して、前記データ処理装置が課金機能を有することを通知する通知工程と、
前記通知工程における通知後に、前記データ処理装置による印刷処理と前記他のデータ処理装置による画像読み取り処理に対する課金処理を実行するよう制御する制御工程と、
を有することを特徴とする制御方法。
【請求項１１】  他のデータ処理装置が印刷するための画像を読み取るデータ処理装置の制御方法であって、
前記データ処理装置による画像読み取り処理と前記他のデータ処理装置による印刷処理に対する課金処理を前記他のデータ処理装置が行わないようにするために、前記他のデータ処理装置に対して、前記データ処理装置が課金機能を有することを通知する通知工程と、
前記通知工程における通知後に、前記データ処理装置による画像読み取り処理と前記他のデータ処理装置による印刷処理に対する課金処理を実行するよう制御する制御工程と、
を有することを特徴とする制御方法。
【請求項１２】  請求項８から１１のいずれか１項に記載の制御方法をデータ処理装置に実行させるための制御プログラム。
【手続補正３】
【補正対象書類名】明細書
【補正対象項目名】０００１
【補正方法】変更
【補正の内容】
【０００１】
【発明の属する技術分野】
本発明は、他のデータ処理装置が読み取った画像を印刷するデータ処理装置、およびその制御方法に関する。
【手続補正４】
【補正対象書類名】明細書
【補正対象項目名】０００２
【補正方法】変更
【補正の内容】
【０００２】
また、本発明は、他のデータ処理装置が印刷するための画像を読み取るデータ処理装置およびその制御方法に関する。
【手続補正５】
【補正対象書類名】明細書
【補正対象項目名】００１０
【補正方法】変更
【補正の内容】
【００１０】
【課題を解決するための手段】
本発明は、他のデータ処理装置が読み取った画像を印刷するデータ処理装置であって、前記他のデータ処理装置が課金機能を有するか否かを判別する判別手段と、前記判別手段により、前記他のデータ処理装置が課金機能を有さないと判別した場合に、前記データ処理装置による印刷処理と前記他のデータ処理装置による画像読み取り処理に対する課金処理を、前記データ処理装置が行うことを決定する決定手段と、前記決定手段による決定に基づいて、前記課金処理を実行するように制御する制御手段と、を有することを特徴とするデータ処理装置である。
【手続補正６】
【補正対象書類名】明細書
【補正対象項目名】００１１
【補正方法】変更
【補正の内容】
【００１１】
本発明は、他のデータ処理装置が印刷するための画像を読み取るデータ処理装置であって、前記他のデータ処理装置が課金機能を有するか否かを判別する判別手段と、前記判別手段により、前記他のデータ処理装置が課金機能を有さないと判別した場合に、前記データ処理装置による画像読み取り処理と前記他のデータ処理装置による印刷処理に対する課金処理を、前記データ処理装置が行うことを決定する決定手段と、前記決定手段による決定に基づいて、前記課金処理を実行するように制御する制御手段と、を有することを特徴とするデータ処理装置である。
【手続補正７】
【補正対象書類名】明細書
【補正対象項目名】００１２
【補正方法】変更
【補正の内容】
【００１２】
本発明は、他のデータ処理装置が読み取った画像を印刷するデータ処理装置であって、前記データ処理による印刷処理と前記他のデータ処理装置による画像読み取り処理に対する課金処理を前記他のデータ処理装置が行わないようにするために、前記他のデータ処理装置に対して、前記データ処理装置が課金機能を有することを通知する通知手段と、前記通知手段により通知した後に、前記データ処理装置による印刷処理と、前記他のデータ処理装置による画像読み取り処理に対する課金処理を実行するよう制御する制御手段と、を有することを特徴とするデータ処理装置である。
【手続補正８】
【補正対象書類名】明細書
【補正対象項目名】００１３
【補正方法】変更
【補正の内容】
【００１３】
本発明は、他のデータ処理装置が印刷するための画像を読み取るデータ処理装置であって、前記データ処理装置による画像読み取り処理と前記他のデータ処理装置による印刷処理に対する課金処理を前記他のデータ処理装置が行わないようにするために、前記他のデータ処理装置に対して、前記データ処理装置が課金機能を有することを通知する通知手段と、前記通知手段により通知した後に、前記データ処理装置による画像読み取り処理と前記他のデータ処理装置による印刷処理に対する課金処理を実行するよう制御する制御手段と、を有することを特徴とするデータ処理装置である。
【手続補正９】
【補正対象書類名】明細書
【補正対象項目名】００１４
【補正方法】変更
【補正の内容】
【００１４】
本発明は、他のデータ処理装置が読み取った画像を印刷するデータ処理装置の制御方法であって、前記他のデータ処理装置が課金機能を有するか否かを判別する判別工程と、前記判別工程において、前記他のデータ処理装置が課金機能を有さないと判別した場合に、前記データ処理装置による印刷処理と前記他のデータ処理装置による画像読み取り処理に対する課金処理を、前記データ処理装置が行うことを決定する決定工程と、前記決定工程における決定に基づいて、前記課金処理を実行するように制御する制御工程と、を有することを特徴とする制御方法である。
また、本発明は、他のデータ処理装置が印刷するための画像を読み取るデータ処理装置の制御方法であって、前記他のデータ処理装置が課金機能を有するか否かを判別する判別工程と、前記判別工程において、前記他のデータ処理装置が課金機能を有さないと判別した場合に、前記データ処理装置による画像読み取り処理と前記他のデータ処理装置による印刷処理に対する課金処理を、前記データ処理装置が行うことを決定する決定工程と、前記決定工程における決定に基づいて、前記課金処理を実行するように制御する制御工程と、を有することを特徴とする制御方法である。
さらに、本発明は、他のデータ処理装置が読み取った画像を印刷するデータ処理装置の制御豊富であって、前記データ処理による印刷処理と前記他のデータ処理装置による画像読み取り処理に対する課金処理を前記他のデータ処理装置が行わないようにするために、前記他のデータ処理装置に対して、前記データ処理装置が課金機能を有することを通知する通知工程と、前記通知工程における通知後に、前記データ処理装置による印刷処理と前記他のデータ処理装置による画像読み取り処理に対する課金処理を実行するよう制御する制御工程と、を有することを特徴とする制御方法である。
しかも、本発明は、他のデータ処理装置が印刷するための画像を読み取るデータ処理装置の制御方法であって、前記データ処理装置による画像読み取り処理と前記他のデータ処理装置による印刷処理に対する課金処理を前記他のデータ処理装置が行わないようにするために、前記他のデータ処理装置に対して、前記データ処理装置が課金機能を有することを通知する通知工程と、前記通知工程における通知後に、前記データ処理装置による画像読み取り処理と前記他のデータ処理装置による印刷処理に対する課金処理を実行するよう制御する制御工程と、を有することを特徴とする制御方法である。
【手続補正１０】
【補正対象書類名】明細書
【補正対象項目名】００６０
【補正方法】変更
【補正の内容】
【００６０】
この場合、プリンタ１００は、スキャナ２００が課金機能の有無を示す信号を受信したか否かを判断する（Ｓ４２）前に、画像データの受信と印刷処理（Ｓ４５）とを行う。
【手続補正１１】
【補正対象書類名】明細書
【補正対象項目名】０１４２
【補正方法】変更
【補正の内容】
【０１４２】
【発明の効果】
本発明によれば、他のデータ処理装置が読み取った画像をデータ処理装置において印刷する場合に、他のデータ処理装置による画像読み取り処理とデータ処理装置による印刷処理に対する課金処理をデータ処理装置が行うので、二重課金を防止することができるという効果を奏する。
【手続補正１２】
【補正対象書類名】明細書
【補正対象項目名】０１４３
【補正方法】変更
【補正の内容】
【０１４３】
また、本発明によれば、データ処理装置が読み取った画像を他のデータ処理装置において印刷する場合に、データ処理装置による画像読み取り処理と他のデータ処理装置による印刷処理に対する課金機能をデータ処理装置が行うので、二重課金を防止できる。